(57)【要約】【課題】複数のアンテナ整合回路の間の相互変調による受信妨害を低減した携帯無線端末を提供する。【解決手段】ダイオード・スイッチ２９は、メインアンテナ２２で第１の電波が受信されると共に無線ＬＡＮ用アンテナ２４で第３の電波が放射又は受信され、かつ同ダイオード・スイッチ２９がオフ状態のとき、上記第１の電波及び上記第３の電波がサブアンテナ２３を経て入力することにより発生する第１の周波数帯（８００ＭＨｚ帯）と同一周波数帯のスプリアスがメインアンテナ２２に対して受信妨害を与えないレベルとなる端子間容量（たとえば、０．３ｐＦ以下）に設定されているので、８００ＭＨｚ帯の受信信号のレベルが低いときでも、同一周波数帯の８００ＭＨｚ帯のスプリアスに妨害されることなく、受信が円滑に行われる。【選択図】図１
2008193286.tif 000002
【特許請求の範囲】
【請求項１】
第１の周波数帯の第１の電波及び第２の周波数帯の第２の電波を放射又は受信するための第１のアンテナと、前記第１の電波を放射又は受信するための第２のアンテナと、第３の周波数帯の第３の電波を放射又は受信するための第３のアンテナと、送受信部とを有する携帯無線端末であって、
前記送受信部と前記第１のアンテナとの間で前記第１の周波数帯及び第２の周波数帯に対応してインピーダンスの整合をとる第１の整合回路と、
前記送受信部と前記第２のアンテナとの間で前記第１の周波数帯に対応してインピーダンスの整合をとる第２の整合回路とが設けられ、
前記第１の整合回路は、
第１の制御信号に基づいてオン／オフ制御され、当該第１の整合回路のインピーダンスを前記第１の周波数帯又は第２の周波数帯に対応して切り替えて設定する第１のダイオード・スイッチを有し、
前記第２の整合回路は、
第２の制御信号に基づいてオン／オフ制御され、オン状態のとき、当該第２の整合回路のインピーダンスを前記第１の周波数帯に対応して設定する第２のダイオード・スイッチを有し、
前記第１のダイオード・スイッチは、
前記第１の周波数帯と同一周波数帯の第１のスプリアスが前記第１のアンテナ及び前記第２のアンテナに対して受信妨害を与えないレベルとなる第１の端子間容量を有し、
前記第２のダイオード・スイッチは、
前記第１の周波数帯と同一周波数帯の第２のスプリアスが前記第１のアンテナに対して受信妨害を与えないレベルとなる第２の端子間容量を有することを特徴とする携帯無線端末。
【請求項２】
前記第１のダイオード・スイッチの前記第１の端子間容量は、
前記第２のアンテナで前記第１の電波が受信されると共に前記第３のアンテナで前記第３の電波が放射又は受信され、かつ当該第１のダイオード・スイッチがオフ状態のとき、前記第１の電波及び前記第３の電波が前記第１のアンテナを経て入力することにより発生する前記第１のスプリアスが前記第１のアンテナ及び前記第２のアンテナに対して受信妨害を与えないレベルとなる値を有し、
前記第２のダイオード・スイッチの前記第２の端子間容量は、
前記第１のアンテナで前記第１の電波が受信されると共に前記第３のアンテナで前記第３の電波が放射又は受信され、かつ当該第２のダイオード・スイッチがオフ状態のとき、前記第１の電波及び前記第３の電波が前記第２のアンテナを経て入力することにより発生する前記第２のスプリアスが前記第１のアンテナに対して受信妨害を与えないレベルとなる値を有することを特徴とする請求項１記載の携帯無線端末。
【請求項３】
前記第１及び第２のダイオード・スイッチは、
それぞれＰＩＮダイオードで構成されていることを特徴とする請求項１又は２記載の携帯無線端末。
【請求項４】
前記第１及び第２のスプリアスの周波数は、
前記第３の周波数帯から前記第１の周波数帯の２倍を差し引いた差分の値を有することを特徴とする請求項１、２又は３記載の携帯無線端末。
【請求項５】
前記第１の周波数帯は８００ＭＨｚ帯、前記第２の周波数帯は２．０ＧＨｚ帯、及び前記第３の周波数帯が２．４ＧＨｚ帯に設定されていることを特徴とする請求項１、２、３又は４記載の携帯無線端末。
【請求項６】
前記第１及び第２の端子間容量は、
０．３ｐＦ以下から限りなくゼロに近付くように設定されていることを特徴とする請求項１、２、３、４又は５記載の携帯無線端末。
【請求項７】
第１の周波数帯の第１の電波及び第２の周波数帯の第２の電波を放射又は受信するための第１のアンテナと、前記第１の電波を放射又は受信するための第２のアンテナと、第３の周波数帯の第３の電波を放射又は受信するための第３のアンテナと、送受信部とを有する携帯無線端末に用いられるアンテナ整合回路であって、
前記送受信部と前記第１のアンテナとの間で前記第１の周波数帯及び第２の周波数帯に対応してインピーダンスの整合をとる第１の整合回路と、
前記送受信部と前記第２のアンテナとの間で前記第１の周波数帯に対応してインピーダンスの整合をとる第２の整合回路とが設けられ、
前記第１の整合回路は、
第１の制御信号に基づいてオン／オフ制御され、当該第１の整合回路のインピーダンスを前記第１の周波数帯又は第２の周波数帯に対応して切り替えて設定する第１のダイオード・スイッチを有し、
前記第２の整合回路は、
第２の制御信号に基づいてオン／オフ制御され、オン状態のとき、当該第２の整合回路のインピーダンスを前記第１の周波数帯に対応して設定する第２のダイオード・スイッチを有し、
前記第１のダイオード・スイッチは、
前記第１の周波数帯と同一周波数帯の第１のスプリアスが前記第１のアンテナ及び前記第２のアンテナに対して受信妨害を与えないレベルとなる第１の端子間容量を有し、
前記第２のダイオード・スイッチは、
前記第１の周波数帯と同一周波数帯の第２のスプリアスが前記第１のアンテナに対して受信妨害を与えないレベルとなる第２の端子間容量を有することを特徴とするアンテナ整合回路。
【請求項８】
前記第１のダイオード・スイッチの前記第１の端子間容量は、
前記第２のアンテナで前記第１の電波が受信されると共に前記第３のアンテナで前記第３の電波が放射又は受信され、かつ当該第１のダイオード・スイッチがオフ状態のとき、前記第１の電波及び前記第３の電波が前記第１のアンテナを経て入力することにより発生する前記第１のスプリアスが前記第１のアンテナ及び前記第２のアンテナに対して受信妨害を与えないレベルとなる値を有し、
前記第２のダイオード・スイッチの前記第２の端子間容量は、
前記第１のアンテナで前記第１の電波が受信されると共に前記第３のアンテナで前記第３の電波が放射又は受信され、かつ当該第２のダイオード・スイッチがオフ状態のとき、前記第１の電波及び前記第３の電波が前記第２のアンテナを経て入力することにより発生する前記第２のスプリアスが前記第１のアンテナに対して受信妨害を与えないレベルとなる値を有することを特徴とする請求項７記載のアンテナ整合回路。
【請求項９】
前記第１及び第２のダイオード・スイッチは、
それぞれＰＩＮダイオードで構成されていることを特徴とする請求項７又は８記載のアンテナ整合回路。
【請求項１０】
前記第１及び第２のスプリアスの周波数は、
前記第３の周波数帯から前記第１の周波数帯の２倍を差し引いた差分の値を有することを特徴とする請求項７、８又は９記載のアンテナ整合回路。
【請求項１１】
前記第１の周波数帯は８００ＭＨｚ帯、前記第２の周波数帯は２．０ＧＨｚ帯、及び前記第３の周波数帯が２．４ＧＨｚ帯に設定されていることを特徴とする請求項７、８、９又は１０記載のアンテナ整合回路。
【請求項１２】
前記第１及び第２の端子間容量は、
０．３ｐＦ以下から限りなくゼロに近付くように設定されていることを特徴とする請求項７、８、９、１０又は１１記載のアンテナ整合回路。
【発明の詳細な説明】
【技術分野】
【０００１】
この発明は、携帯無線端末及び該携帯無線端末に用いられるアンテナ整合回路に係り、特に、複数のアンテナ整合回路の間の相互変調による受信妨害を低減する必要がある場合に適用して好適な携帯無線端末及び該携帯無線端末に用いられるアンテナ整合回路に関する。
【背景技術】
【０００２】
携帯電話機などの携帯無線端末では、アンテナが１つのみ設けられている場合、使用される環境によっては、地形や建物により電波が反射、回折、散乱などの影響を受けて伝搬路が多重伝搬路となり、送受信状態が悪化することがある。このため、通常の携帯無線端末では、２つ以上のアンテナが設けられ、送受信状態が良好なアンテナが選択された状態で使用される構成のものが多くなっている。また、近年では、無線ＬＡＮ（ローカル・エリア・ネットワーク）に接続して送受信を行うための無線ＬＡＮ用アンテナが付加されているものも製作されている。
【０００３】
この種の携帯無線端末は、従来では、たとえば図３に示すように、携帯電話機１であり、メインアンテナ２と、サブアンテナ３と、無線ＬＡＮ用アンテナ４と、整合回路５と、整合回路６と、ダイオード・スイッチ７と、整合回路８と、ダイオード・スイッチ９と、整合回路１０と、無線ＬＡＮ送受信部１１と、選択回路１２と、送受信部１３と、制御部１４とを有している。この携帯電話機１では、送受信部１３からの送信信号が外部に出力されるパスが２系統あり、パスの切替えが選択回路１２によって行われる。この場合、たとえば、サブアンテナ３よりもメインアンテナ２の送受信状態が良好なとき、制御部１４からの制御信号ｃｔａに基づいて選択回路１２により同メインアンテナ２が選択された状態で送受信が行われる。
【０００４】
また、メインアンテナ２により、第１の周波数帯（８００ＭＨｚ帯）の第１の電波及び第２の周波数帯（２．０ＧＨｚ帯）の第２の電波が放射又は受信される。この場合、制御部１４からの制御信号ｃｔｂに基づいてダイオード・スイッチ７がオン状態となり、整合回路５，６，８により、送受信部１３とメインアンテナ２との間で８００ＭＨｚ帯の周波数帯に対応してインピーダンスが整合されるか、又は同制御信号ｃｔｂに基づいてダイオード・スイッチ７がオフ状態となり、整合回路５，６により、送受信部１３とメインアンテナ２との間で２．０ＧＨｚ帯の周波数帯に対応してインピーダンスが整合される。
また、選択回路１２によりサブアンテナ３が選択されたとき、同サブアンテナ３により、第１の電波（８００ＭＨｚ帯）が放射又は受信される。この場合、制御部１４からの制御信号ｃｔｃに基づいてダイオード・スイッチ９がオン状態となり、整合回路１０により、送受信部１３とサブアンテナ３との間で８００ＭＨｚ帯の周波数帯に対応してインピーダンスが整合される。また、無線ＬＡＮ用アンテナ４により、無線ＬＡＮで用いられる第３の周波数帯（２．４ＧＨｚ帯）の第３の電波が放射又は受信される。
【０００５】
また、この携帯電話機１では、ダイオード・スイッチ７及びダイオード・スイッチ９が同時にオフ状態で、メインアンテナ２により、第１の周波数帯（８００ＭＨｚ帯）の電波による通信が行われることもある。ダイオード・スイッチ７，９は、それぞれＰＩＮダイオードで構成され、オフ状態のときの端子間容量が、たとえば０．５ｐＦである。なお、現状では、上記従来の技術に関する適切な先行技術文献情報はない。
【発明の開示】
【発明が解決しようとする課題】
【０００６】
しかしながら、上記従来の携帯電話機では、次のような問題点があった。
すなわち、図３の携帯電話機１では、ダイオード・スイッチ７がオン状態かつダイオード・スイッチ９がオフ状態、すなわち、メインアンテナ２により８００ＭＨｚ帯の電波による通信（送受信）が行われているとき、この８００ＭＨｚ帯の電波がサブアンテナ３で受信されてオフ状態のダイオード・スイッチ９に入力される。一方、無線ＬＡＮ用アンテナ４から２．４ＧＨｚ帯の電波もサブアンテナ３で受信されてオフ状態のダイオード・スイッチ９に入力される。このとき、ダイオード・スイッチ９で８００ＭＨｚ帯（＝２．４ＧＨｚ−８００ＭＨｚ×２）帯のスプリアスが発生し、このスプリアスが８００ＭＨｚ帯の電波を送受信中のメインアンテナ２で受信される。このスプリアスは、ダイオード・スイッチ９に入力した２．４ＧＨｚ帯と８００ＭＨｚ帯との信号相互、あるいは、ダイオード・スイッチ９のリーク電流の非直線性により発生した高調波との間で相互変調が起こることにより、発生する。このため、図４に示すように、８００ＭＨｚ帯の受信信号ｒｓのレベルが低いとき、同一周波数帯の８００ＭＨｚ帯のスプリアスｓｐに妨害されて受信感度が低下又は受信が不可能になるという問題点がある。
【０００７】
同様に、ダイオード・スイッチ９がオン状態かつダイオード・スイッチ７がオフ状態、すなわち、サブアンテナ３により８００ＭＨｚ帯の電波による通信（送受信）が行われているとき、この８００ＭＨｚ帯の電波がメインアンテナ２で受信されてオフ状態のダイオード・スイッチ７に入力される。一方、無線ＬＡＮ用アンテナ４から２．４ＧＨｚ帯の電波もメインアンテナ２で受信されてオフ状態のダイオード・スイッチ７に入力される。このとき、ダイオード・スイッチ７で８００ＭＨｚ帯（＝２．４ＧＨｚ−８００ＭＨｚ×２）帯のスプリアスが発生し、このスプリアスが８００ＭＨｚ帯の電波を送受信中のサブアンテナ３で受信される。このスプリアスは、ダイオード・スイッチ７に入力した２．４ＧＨｚ帯と８００ＭＨｚ帯との信号相互、あるいは、ダイオード・スイッチ７のリーク電流の非直線性により発生した高調波との間で相互変調が起こることにより、発生する。このため、上記と同様の問題点がある。
【０００８】
また、ダイオード・スイッチ７及びダイオード・スイッチ９が同時にオフ状態で、メインアンテナ２により、第１の周波数帯（８００ＭＨｚ帯）の電波による通信が行われる場合、同ダイオード・スイッチ７で８００ＭＨｚ帯のスプリアスが発生し、このスプリアスが同メインアンテナ２で受信されてオフ状態の同ダイオード・スイッチ７に入力され、上記と同様の問題点が発生することがある。
【０００９】
この発明は、上述の事情に鑑みてなされたもので、複数のアンテナ整合回路の間の相互変調による受信妨害が低減される携帯無線端末及び該携帯無線端末に用いられるアンテナ整合回路を提供することを目的としている。
【課題を解決するための手段】
【００１０】
上記課題を解決するために、請求項１記載の発明は、第１の周波数帯の第１の電波及び第２の周波数帯の第２の電波を放射又は受信するための第１のアンテナと、前記第１の電波を放射又は受信するための第２のアンテナと、第３の周波数帯の第３の電波を放射又は受信するための第３のアンテナと、送受信部とを有する携帯無線端末に係り、前記送受信部と前記第１のアンテナとの間で前記第１の周波数帯及び第２の周波数帯に対応してインピーダンスの整合をとる第１の整合回路と、前記送受信部と前記第２のアンテナとの間で前記第１の周波数帯に対応してインピーダンスの整合をとる第２の整合回路とが設けられ、前記第１の整合回路は、第１の制御信号に基づいてオン／オフ制御され、当該第１の整合回路のインピーダンスを前記第１の周波数帯又は第２の周波数帯に対応して切り替えて設定する第１のダイオード・スイッチを有し、前記第２の整合回路は、第２の制御信号に基づいてオン／オフ制御され、オン状態のとき、当該第２の整合回路のインピーダンスを前記第１の周波数帯に対応して設定する第２のダイオード・スイッチを有し、前記第１のダイオード・スイッチは、前記第１の周波数帯と同一周波数帯の第１のスプリアスが前記第１のアンテナ及び前記第２のアンテナに対して受信妨害を与えないレベルとなる第１の端子間容量を有し、前記第２のダイオード・スイッチは、前記第１の周波数帯と同一周波数帯の第２のスプリアスが前記第１のアンテナに対して受信妨害を与えないレベルとなる第２の端子間容量を有することを特徴としている。
【００１１】
請求項２記載の発明は、請求項１記載の携帯無線端末に係り、前記第１のダイオード・スイッチの前記第１の端子間容量は、前記第２のアンテナで前記第１の電波が受信されると共に前記第３のアンテナで前記第３の電波が放射又は受信され、かつ当該第１のダイオード・スイッチがオフ状態のとき、前記第１の電波及び前記第３の電波が前記第１のアンテナを経て入力することにより発生する前記第１のスプリアスが前記第１のアンテナ及び前記第２のアンテナに対して受信妨害を与えないレベルとなる値を有し、前記第２のダイオード・スイッチの前記第２の端子間容量は、前記第１のアンテナで前記第１の電波が受信されると共に前記第３のアンテナで前記第３の電波が放射又は受信され、かつ当該第２のダイオード・スイッチがオフ状態のとき、前記第１の電波及び前記第３の電波が前記第２のアンテナを経て入力することにより発生する前記第２のスプリアスが前記第１のアンテナに対して受信妨害を与えないレベルとなる値を有することを特徴としている。
【００１２】
請求項３記載の発明は、請求項１又は２記載の携帯無線端末に係り、前記第１及び第２のダイオード・スイッチは、それぞれＰＩＮダイオードで構成されていることを特徴としている。
【００１３】
請求項４記載の発明は、請求項１、２又は３記載の携帯無線端末に係り、前記第１及び第２のスプリアスの周波数は、前記第３の周波数帯から前記第１の周波数帯の２倍を差し引いた差分の値を有することを特徴としている。
【００１４】
請求項５記載の発明は、請求項１、２、３又は４記載の携帯無線端末に係り、前記第１の周波数帯は８００ＭＨｚ帯、前記第２の周波数帯は２．０ＧＨｚ帯、及び前記第３の周波数帯が２．４ＧＨｚ帯に設定されていることを特徴としている。
【００１５】
請求項６記載の発明は、請求項１、２、３、４又は５記載の携帯無線端末に係り、前記第１及び第２の端子間容量は、０．３ｐＦ以下から限りなくゼロに近付くように設定されていることを特徴としている。
【００１６】
請求項７記載の発明は、第１の周波数帯の第１の電波及び第２の周波数帯の第２の電波を放射又は受信するための第１のアンテナと、前記第１の電波を放射又は受信するための第２のアンテナと、第３の周波数帯の第３の電波を放射又は受信するための第３のアンテナと、送受信部とを有する携帯無線端末に用いられるアンテナ整合回路に係り、前記送受信部と前記第１のアンテナとの間で前記第１の周波数帯及び第２の周波数帯に対応してインピーダンスの整合をとる第１の整合回路と、前記送受信部と前記第２のアンテナとの間で前記第１の周波数帯に対応してインピーダンスの整合をとる第２の整合回路とが設けられ、前記第１の整合回路は、第１の制御信号に基づいてオン／オフ制御され、当該第１の整合回路のインピーダンスを前記第１の周波数帯又は第２の周波数帯に対応して切り替えて設定する第１のダイオード・スイッチを有し、前記第２の整合回路は、第２の制御信号に基づいてオン／オフ制御され、オン状態のとき、当該第２の整合回路のインピーダンスを前記第１の周波数帯に対応して設定する第２のダイオード・スイッチを有し、前記第１のダイオード・スイッチは、前記第１の周波数帯と同一周波数帯の第１のスプリアスが前記第１のアンテナ及び前記第２のアンテナに対して受信妨害を与えないレベルとなる第１の端子間容量を有し、前記第２のダイオード・スイッチは、前記第１の周波数帯と同一周波数帯の第２のスプリアスが前記第１のアンテナに対して受信妨害を与えないレベルとなる第２の端子間容量を有することを特徴としている。
【００１７】
請求項８記載の発明は、請求項７記載のアンテナ整合回路に係り、前記第１のダイオード・スイッチの前記第１の端子間容量は、前記第２のアンテナで前記第１の電波が受信されると共に前記第３のアンテナで前記第３の電波が放射又は受信され、かつ当該第１のダイオード・スイッチがオフ状態のとき、前記第１の電波及び前記第３の電波が前記第１のアンテナを経て入力することにより発生する前記第１のスプリアスが前記第１のアンテナ及び前記第２のアンテナに対して受信妨害を与えないレベルとなる値を有し、前記第２のダイオード・スイッチの前記第２の端子間容量は、前記第１のアンテナで前記第１の電波が受信されると共に前記第３のアンテナで前記第３の電波が放射又は受信され、かつ当該第２のダイオード・スイッチがオフ状態のとき、前記第１の電波及び前記第３の電波が前記第２のアンテナを経て入力することにより発生する前記第２のスプリアスが前記第１のアンテナに対して受信妨害を与えないレベルとなる値を有することを特徴としている。
【００１８】
請求項９記載の発明は、請求項７又は８記載のアンテナ整合回路に係り、前記第１及び第２のダイオード・スイッチは、それぞれＰＩＮダイオードで構成されていることを特徴としている。
【００１９】
請求項１０記載の発明は、請求項７、８又は９記載のアンテナ整合回路に係り、前記第１及び第２のスプリアスの周波数は、前記第３の周波数帯から前記第１の周波数帯の２倍を差し引いた差分の値を有することを特徴としている。
【００２０】
請求項１１記載の発明は、請求項７、８、９又は１０記載のアンテナ整合回路に係り、前記第１の周波数帯は８００ＭＨｚ帯、前記第２の周波数帯は２．０ＧＨｚ帯、及び前記第３の周波数帯が２．４ＧＨｚ帯に設定されていることを特徴としている。
【００２１】
請求項１２記載の発明は、請求項７、８、９、１０又は１１記載のアンテナ整合回路に係り、前記第１及び第２の端子間容量は、０．３ｐＦ以下から限りなくゼロに近付くように設定されていることを特徴としている。
【発明の効果】
【００２２】
この発明の構成によれば、第１のダイオード・スイッチは、第２のアンテナで第１の電波が受信されると共に第３のアンテナで第３の電波が放射又は受信され、かつ当該第１のダイオード・スイッチがオフ状態のとき、上記第１の電波及び上記第３の電波が第１のアンテナを経て入力することにより発生する第１の周波数帯と同一周波数帯の第１のスプリアスが上記第１のアンテナ及び上記第２のアンテナに対して受信妨害を与えないレベルとなる第１の端子間容量を有するので、同第１のアンテナ及び第２のアンテナでは、第１の電波の受信信号のレベルが低いときでも、同第１のスプリアスに妨害されることなく、受信を円滑に行うことができる。
【００２３】
また、第２のダイオード・スイッチは、第１のアンテナで第１の電波が受信されると共に第３のアンテナで第３の電波が放射又は受信され、かつ当該第２のダイオード・スイッチがオフ状態のとき、上記第１の電波及び上記第３の電波が第２のアンテナを経て入力することにより発生する第１の周波数帯と同一周波数帯の第２のスプリアスが上記第１のアンテナに対して受信妨害を与えないレベルとなる第２の端子間容量を有するので、同第１のアンテナでは、第１の電波の受信信号のレベルが低いときでも、同第２のスプリアスに妨害されることなく、受信を円滑に行うことができる。
【発明を実施するための最良の形態】
【００２４】
送受信部とアンテナとのインピーダンスの整合状態を周波数に応じて切り替えるダイオード・スイッチとして、内部の相互変調によるスプリアスのレベルが低くなる端子間容量を有するＰＩＮダイオードを用いた携帯無線端末及び同携帯無線端末に用いられるアンテナ整合回路を提供する。
【実施例１】
【００２５】
図１は、この発明の一実施例である携帯無線端末の要部の電気的構成を示すブロック図である。
この例の携帯無線端末は、同図に示すように、携帯電話機２１であり、メインアンテナ２２と、サブアンテナ２３と、無線ＬＡＮ用アンテナ２４と、整合回路２５と、整合回路２６と、ダイオード・スイッチ２７と、整合回路２８と、ダイオード・スイッチ２９と、整合回路３０と、無線ＬＡＮ送受信部３１と、選択回路３２と、送受信部３３と、制御部３４とから構成されている。メインアンテナ２２は、第１の周波数帯（８００ＭＨｚ帯）の第１の電波及び第２の周波数帯（２．０ＧＨｚ帯）の第２の電波を放射又は受信する。サブアンテナ２３は、第１の周波数帯（８００ＭＨｚ帯）の第１の電波を放射又は受信する。無線ＬＡＮ用アンテナ２４は、無線ＬＡＮで用いられる第３の周波数帯（２．４ＧＨｚ帯）の第３の電波を放射又は受信する。
【００２６】
ダイオード・スイッチ２７は、ＰＩＮダイオードで構成され、制御部３４からの制御信号ｃｔｂに基づいてバイアス電圧が印加されてオン／オフ制御される。特に、この実施例では、ダイオード・スイッチ２７は、サブアンテナ２３で第１の電波が受信されると共に無線ＬＡＮ用アンテナ２４で第３の電波が放射又は受信され、かつ同ダイオード・スイッチ２７がオフ状態のとき、上記第１の電波及び上記第３の電波がメインアンテナ２２を経て入力することにより発生する第１の周波数帯（８００ＭＨｚ帯）と同一周波数帯のスプリアスがメインアンテナ２２及びサブアンテナ２３に対して受信妨害を殆ど与えないレベルとなる端子間容量（たとえば、０．３ｐＦ以下から限りなくゼロ）に設定され、オフ・アイソレーション（オフ状態のときの入力側から出力側への信号のリーク電流の量）が改善されている。
【００２７】
なお、端子間容量は、ＰＩＮダイオードを構成する半導体の接合面積に比例し、リーク電流は、端子間容量に比例する。そして、リーク電流の非線形の部分が、スプリアスの発生の原因となるため、ＰＩＮダイオードの端子間容量が小さくなるほど、スプリアスのレベルが低くなる。上記スプリアスの周波数は、上記第３の周波数帯（２．４ＧＨｚ帯）から上記第１の周波数帯（８００Ｍ）の２倍を差し引いた差分の値を有している。整合回路２５，２６，２８は、コイルやキャパシタなどの受動素子で構成され、ダイオード・スイッチ２７がオン状態となったとき、送受信部３３とメインアンテナ２２との間で８００ＭＨｚ帯の周波数に対応してインピーダンスを整合する一方、同ダイオード・スイッチ２７がオフ状態となったとき、整合回路２５，２６は、同送受信部３３と同メインアンテナ２２との間で２．０ＧＨｚ帯の周波数に対応してインピーダンスを整合する。
【００２８】
ダイオード・スイッチ２９は、ＰＩＮダイオードで構成され、制御部３４からの制御信号ｃｔｃに基づいてオン／オフ制御される。特に、この実施例では、ダイオード・スイッチ２９は、メインアンテナ２２で第１の電波が受信されると共に無線ＬＡＮ用アンテナ２４で第３の電波が放射又は受信され、かつ同ダイオード・スイッチ２９がオフ状態のとき、上記第１の電波及び上記第３の電波がサブアンテナ２３を経て入力することにより発生する第１の周波数帯（８００ＭＨｚ帯）と同一周波数帯のスプリアスがメインアンテナ２２に対して受信妨害を与えないレベルとなる端子間容量（たとえば、０．３ｐＦ以下から限りなくゼロ）に設定され、オフ・アイソレーション（オフ状態のときの入力側から出力側への信号の漏れの量）が改善されている。上記スプリアスの周波数は、上記第３の周波数帯（２．４ＧＨｚ帯）から上記第１の周波数帯（８００Ｍ）の２倍を差し引いた差分の値を有している。
【００２９】
整合回路３０は、ダイオード・スイッチ２９がオン状態となったとき、送受信部３３とサブアンテナ２３との間で８００ＭＨｚ帯の周波数に対応してインピーダンスを整合する。無線ＬＡＮ送受信部３１は、無線ＬＡＮ用アンテナ２４を介して無線ＬＡＮに対応した信号を送受信する。選択回路３２は、制御部３４からの制御信号ｃｔａに基づいて、メインアンテナ２２又はサブアンテナ２３を選択する。送受信部３３は、メインアンテナ２２又はサブアンテナ２３を介して携帯電話に対応した電波の送受信を行う。制御部３４は、この携帯電話機２１全体を制御する。
【００３０】
図２は、図１の携帯電話機２１で送受信する電波のスペクトルを示す図である。
この図を参照して、この例の携帯電話機２１の動作について説明する。
この携帯電話機２１では、送受信部３３からの送信信号が外部に出力されるパスが２系統あり、パスの切替えが選択回路３２によって行われる。この場合、たとえば、サブアンテナ２３よりもメインアンテナ２２の送受信状態が良好なとき、制御部３４からの制御信号ｃｔａに基づいて選択回路３２により同メインアンテナ２２が選択された状態で送受信が行われる。また、メインアンテナ２２により、第１の周波数帯（８００ＭＨｚ帯）の第１の電波及び第２の周波数帯（２．０ＧＨｚ帯）の第２の電波が放射又は受信される。この場合、制御部３４からの制御信号ｃｔｂに基づいてダイオード・スイッチ２７がオン状態となり、整合回路２５，２６，２８により、送受信部３３とメインアンテナ２２との間で８００ＭＨｚ帯の周波数に対応してインピーダンスが整合されるか、又は同制御信号ｃｔｂに基づいてダイオード・スイッチ２７がオフ状態となり、整合回路２５，２６により、送受信部３３とメインアンテナ２２との間で２．０ＧＨｚ帯の周波数に対応してインピーダンスが整合される。
【００３１】
また、選択回路３２によりサブアンテナ２３が選択されたとき、同サブアンテナ２３により、第１の電波（８００ＭＨｚ帯）が放射又は受信される。この場合、制御部３４からの制御信号ｃｔｃに基づいてダイオード・スイッチ２９がオン状態となり、整合回路３０により、送受信部３３とサブアンテナ２３との間で８００ＭＨｚ帯の周波数に対応してインピーダンスが整合される。また、無線ＬＡＮ用アンテナ２４により、無線ＬＡＮで用いられる第３の周波数帯（２．４ＧＨｚ帯）の第３の電波が放射又は受信される。
【００３２】
一方、ダイオード・スイッチ２７がオン状態かつダイオード・スイッチ２９がオフ状態、すなわち、メインアンテナ２２により８００ＭＨｚ帯の電波による送受信が行われているとき、この８００ＭＨｚ帯の電波がサブアンテナ２３で受信されてオフ状態のダイオード・スイッチ２９に入力される。一方、無線ＬＡＮ用アンテナ２４から２．４ＧＨｚ帯の電波もサブアンテナ２３で受信されてオフ状態のダイオード・スイッチ２９に入力される。このとき、ダイオード・スイッチ２９で８００ＭＨｚ（＝２．４ＧＨｚ−８００ＭＨｚ×２）帯のスプリアスが発生するが、このスプリアスのレベルは極めて低く、８００ＭＨｚ帯の電波を送受信中のメインアンテナ２２に対して受信妨害を殆ど与えない。このため、図２に示すように、８００ＭＨｚ帯の受信信号ｒｓのレベルが低いときでも、同一周波数帯の８００ＭＨｚ帯のスプリアスｓｐに妨害されることなく、受信が円滑に行われる。
【００３３】
また、ダイオード・スイッチ２９がオン状態かつダイオード・スイッチ２７がオフ状態、すなわち、サブアンテナ２３により８００ＭＨｚ帯の電波による送受信が行われているとき、この８００ＭＨｚ帯の電波がメインアンテナ２２で受信されてオフ状態のダイオード・スイッチ２７に入力される。一方、無線ＬＡＮ用アンテナ２４から２．４ＧＨｚ帯の電波もメインアンテナ２２で受信されてオフ状態のダイオード・スイッチ２７に入力される。このとき、ダイオード・スイッチ２７で８００ＭＨｚ（＝２．４ＧＨｚ−８００ＭＨｚ×２）帯のスプリアスが発生するが、このスプリアスのレベルは極めて低く、８００ＭＨｚ帯の電波を送受信中のサブアンテナ２３に対して受信妨害を殆ど与えない。このため、上記と同様に、８００ＭＨｚ帯の受信信号ｒｓのレベルが低いときでも、同一周波数帯の８００ＭＨｚ帯のスプリアスｓｐに妨害されることなく、受信が円滑に行われる。
【００３４】
また、ダイオード・スイッチ２７及びダイオード・スイッチ２９が同時にオフ状態で、メインアンテナ２２により、第１の周波数帯（８００ＭＨｚ帯）の電波による通信が行われる場合、同ダイオード・スイッチ２７で８００ＭＨｚ帯のスプリアスが発生し、このスプリアスが同メインアンテナ２２で受信されてオフ状態の同ダイオード・スイッチ２７に入力されるが、このスプリアスのレベルは極めて低く、８００ＭＨｚ帯の電波を送受信中のメインアンテナ２２に対して受信妨害を殆ど与えない。このため、上記と同様に、８００ＭＨｚ帯の受信信号ｒｓのレベルが低いときでも、同一周波数帯の８００ＭＨｚ帯のスプリアスｓｐに妨害されることなく、受信が円滑に行われる。
【００３５】
以上のように、この実施例では、ダイオード・スイッチ２７は、サブアンテナ２３で第１の電波が受信されると共に無線ＬＡＮ用アンテナ２４で第３の電波が放射又は受信され、かつ同ダイオード・スイッチ２７がオフ状態のとき、上記第１の電波及び上記第３の電波がメインアンテナ２２を経て入力することにより発生する第１の周波数帯（８００ＭＨｚ帯）と同一周波数帯のスプリアスが同メインアンテナ２２及びサブアンテナ２３に対して受信妨害を殆ど与えないレベルとなる端子間容量（たとえば、０．３ｐＦ以下）に設定されているので、同メインアンテナ２２及びサブアンテナ２３では、８００ＭＨｚ帯の受信信号ｒｓのレベルが低いときでも、同一周波数帯の８００ＭＨｚ帯のスプリアスｓｐに妨害されることなく、受信を円滑に行うことができる。
【００３６】
また、ダイオード・スイッチ２９は、メインアンテナ２２で第１の電波が受信されると共に無線ＬＡＮ用アンテナ２４で第３の電波が放射又は受信され、かつ同ダイオード・スイッチ２９がオフ状態のとき、上記第１の電波及び上記第３の電波がサブアンテナ２３を経て入力することにより発生する第１の周波数帯（８００ＭＨｚ帯）と同一周波数帯のスプリアスがメインアンテナ２２に対して受信妨害を殆ど与えないレベルとなる端子間容量（たとえば、０．３ｐＦ以下）に設定されているので、同メインアンテナ２２では、８００ＭＨｚ帯の受信信号ｒｓのレベルが低いときでも、同一周波数帯の８００ＭＨｚ帯のスプリアスｓｐに妨害されることなく、受信を円滑に行うことができる。
【００３７】
以上、この発明の実施例を図面により詳述してきたが、具体的な構成は同実施例に限られるものではなく、この発明の要旨を逸脱しない範囲の設計の変更などがあっても、この発明に含まれる。
たとえば、ダイオード・スイッチ２７，２９を構成するＰＩＮダイオードは、実装する基板のパターンや形状に制約がなければ、従来のダイオード・スイッチ７，９を構成するＰＩＮダイオード（端子間容量；０．５ｐＦ）を複数（たとえば、２個）直列に接続しても、端子間容量が見掛け上小さくなるので、上記実施例とほぼ同様の作用、効果が得られる。また、この発明は、無線ＬＡＮで用いられる第３の周波数帯（２．４ＧＨｚ帯）と同一の周波数帯を用いるBluetooth 通信機能を有する携帯無線端末に対しても適用できる。
【産業上の利用可能性】
【００３８】
この発明は、複数のアンテナ整合回路を有する携帯無線端末全般に適用できる。
【図面の簡単な説明】
【００３９】
【図１】この発明の一実施例である携帯無線端末の要部の電気的構成を示すブロック図である。
【図２】図１の携帯電話機２１で送受信する電波のスペクトルを示す図である。
【図３】従来の携帯電話機の要部の電気的構成を示すブロック図である。
【図４】図３の携帯電話機で発生するスプリアスによる受信妨害の状態を説明する図である。
【符号の説明】
【００４０】
２１      携帯電話機（携帯無線端末）
２２      メインアンテナ（第１のアンテナ）
２３      サブアンテナ（第２のアンテナ）
２４      無線ＬＡＮ用アンテナ（第３のアンテナ）
２５，２６，２８      整合回路（第１の整合回路、アンテナ整合回路の一部）
３０      整合回路（第２の整合回路、アンテナ整合回路の一部）
２７      ダイオード・スイッチ（第１のダイオード・スイッチ、アンテナ整合回路の一部）
２９      ダイオード・スイッチ（第２のダイオード・スイッチ、アンテナ整合回路の一部）
３１      無線ＬＡＮ送受信部（携帯無線端末の一部）
３２      選択回路（携帯無線端末の一部）
３３      送受信部（携帯無線端末の一部）
３４      制御部（携帯無線端末の一部）
【図１】
2008193286.tif 000003
【図２】
2008193286.tif 000004
【図３】
2008193286.tif 000005
【図４】
2008193286.tif 000006